(57)【要約】【課題】  上下２方がいずれも発光面とされることができる有機発光装置を提供しようとする。【解決手段】  基板上に複数の有機発光ダイオードをマトリックス配列し、かつ前記基板の上方に、吸湿部材を下面に有する蓋体を設け、また前記蓋体と前記基板との間に前記ダイオード・マトリックス及び前記吸湿部材を周りから囲んで密封するようにシール手段を挟んでなった有機発光装置において、前記蓋体が、少なくとも一つの前記吸湿部材を有し、前記少なくとも一つの吸湿部材が、前記蓋体の前記基板と対面する面の前記ダイオード・マトリックスの真っ正面以外の部分に配置されていることを特徴とする有機発光装置。【選択図】  図１
2006019031.tif 000002
【特許請求の範囲】
【請求項１】
基板上に複数の有機発光ダイオードをマトリックス配列し、
かつ前記基板の上方に、吸湿部材を下面に有する蓋体を設け、
また前記蓋体と前記基板との間に前記ダイオード・マトリックス及び前記吸湿部材を周りから囲んで密封するようにシール手段を挟んで構成される有機発光装置において、
前記蓋体が、少なくとも一つの前記吸湿部材を有し、
前記少なくとも一つの吸湿部材が、前記蓋体の前記基板と対面する面の前記ダイオード・マトリックスの真っ正面以外の部分に配置されていることを特徴とする有機発光装置。
【請求項２】
前記蓋体の前記基板と対面する面の前記ダイオード・マトリックスの真っ正面以外の部分が連続帯であり、該部分に前記ダイオード・マトリックスを囲んでいる閉ループ状の凹溝が開けてあり、前記吸湿部材が該凹溝内に収容されていることを特徴とする請求項１に記載の有機発光装置。
【請求項３】
前記ダイオード・マトリックスと前記閉ループ状の凹溝との間に、更に他のシール手段が前記蓋体と前記基板との間に挟まれて前記ダイオード・マトリックスを周りから囲んで密封していることを特徴とする請求項２に記載の有機発光装置。
【請求項４】
前記ダイオード・マトリックスと前記他のシール手段との間に、更に他の閉ループ状の凹溝が前記蓋体に前記ダイオード・マトリックスを周りから囲んでおり、該凹溝内にも吸湿部材が収容されていることを特徴とする請求項３に記載の有機発光装置。
【請求項５】
前記ダイオード・マトリックスと前記閉ループ状の凹溝との間に、更に複数の支持手段が前記蓋体と前記基板との間に挟まれて前記ダイオード・マトリックスの周りに一連に配列されていることを特徴とする請求項２に記載の有機発光装置。
【発明の詳細な説明】
【技術分野】
【０００１】
本発明は、有機発光装置に関し、特に複数の有機発光ダイオードをマトリックス配列してなった有機発光装置に関する。
【背景技術】
【０００２】
従来の有機発光装置は、図８に示すように、ガラスや透明樹脂からなった基板２１上に複数の有機発光ダイオード２２１（Ｏｒｇａｎｉｃ  Ｌｉｇｈｔ−Ｅｍｉｔｔｉｎｇ  Ｄｉｏｄｅ）がマトリックス配列されている（以下、ダイオード・マトリックス２２と称する）ものである。前記各有機発光ダイオード２２１は、それぞれ一つの画素として点燈や消灯されることができる。
【０００３】
また、前記ダイオード・マトリックス２２を保護すると共に該ダイオード・マトリックス２２が湿気の侵入で壊れてしまうことを避けるために、前記基板２１の上方に、吸湿部材２５を下面に有する透明な蓋体２４が設けられ、また前記蓋体２４と前記基板２１との間に前記ダイオード・マトリックス２２及び前記吸湿部材２５を周りから囲んで密封するようにシール手段２３が挟まれている。
【０００４】
もっと詳しく説明すると、前記蓋体２４の下面には凹孔２４１が開けてあり、前記吸湿部材２５は、前記ダイオード・マトリックス２２と対面するように前記凹孔２４１内に設けられている。
【発明の開示】
【発明が解決しようとする課題】
【０００５】
前記従来の有機発光装置は、前記ダイオード・マトリックス２２が湿気の侵入で壊れてしまうことを避けることができるが、前記蓋体２４の前記ダイオード・マトリックス２２の真っ正面に前記凹孔２４１が開けられているため、透明度に悪影響を与える上、前記吸湿部材２５が前記凹孔２４１内に設けられているため、前記ダイオード・マトリックス２２の上方への発光が前記吸湿部材２５に遮蔽されるので、前記透明な基板２１の方のみが発光面とされるという欠点もある。
【課題を解決するための手段】
【０００６】
前記目的を達成するために、発明者等は、基板上に複数の有機発光ダイオードをマトリックス配列し、かつ前記基板の上方に、吸湿部材を下面に有する蓋体を設け、また前記蓋体と前記基板との間に前記ダイオード・マトリックス及び前記吸湿部材を周りから囲んで密封するようにシール手段を挟んでなった有機発光装置において、前記蓋体が、少なくとも一つの前記吸湿部材を有し、前記少なくとも一つの吸湿部材が、前記蓋体の前記基板と対面する面の前記ダイオード・マトリックスの真っ正面以外の部分に配置されていることを特徴とする有機発光装置を提供する。
【発明の効果】
【０００７】
前記構成による有機発光装置は、前記吸湿部材が前記蓋体の前記基板と対面する面の前記ダイオード・マトリックスの真っ正面以外の部分に配置されているため、前記ダイオード・マトリックスの上方への発光が遮蔽されず、且つ、前記蓋体に従来のような凹孔２４１が開けられていないため、透明度にも何ら影響を与えないので、前記ダイオード・マトリックスの発光が前記基板側や前記蓋体側からうまく透っていくことができる。すなわち、前記基板の方も前記蓋体の方も発光面とされることができる。
【発明を実施するための最良の形態】
【０００８】
以下、本発明の有機発光装置の好ましい実施形態を詳しく説明する。なお、以下の説明においては、そのサイズに拘わらず、略同一の機能及び構成を有する構成要素については、同一符号を付し、重複説明は必要な場合にのみ行う。
【０００９】
（実施の形態１）
図１は、本発明の有機発光装置の実施の形態１を示す側断面図であり、図２は、図１のIII−III線の断面図である。
【００１０】
図１及び図２に示すように、この実施の形態１の有機発光装置は、ガラスや透明樹脂からなっている方形の基板３の上面のほぼ中央ところに複数の有機発光ダイオード４１がマトリックス配列されている（以下、ダイオード・マトリックス４と称する）。これらの複数の有機発光ダイオード４１は一般的に蒸着の方式で前記基板３上に被覆されている。
【００１１】
前記基板３の上方には、その下面に吸湿部材７がついている方形の透明な蓋体６が設けられている。前記吸湿部材７は、前記蓋体６の前記基板３と対面する面の前記方形のダイオード・マトリックス４の真っ正面以外の部分に配置されている。また、前記蓋体６と前記基板３との間には、前記ダイオード・マトリックス４及び前記吸湿部材７を周りから囲んで密封するようにシール手段５が挟まれている。
【００１２】
より詳しく説明すると、本実施形態において、前記蓋体６の前記基板３と対面する面の前記ダイオード・マトリックス４の真っ正面以外の部分は連続帯となり、該部分には前記ダイオード・マトリックス４を囲んでいる閉ループ状（方枠状）の凹溝６１が開けてある。前記吸湿部材７は、該凹溝６１内に収容されている。
【００１３】
前記シール手段５は、前記凹溝６１及び前記ダイオード・マトリックス４を囲んでいる方枠状のものである。
【００１４】
前記有機発光装置によれば、前記吸湿部材７が前記蓋体６の前記基板３と対面する面の前記ダイオード・マトリックス４の真っ正面以外の部分に配置されているため、従来の除湿の機能を維持したまま、前記ダイオード・マトリックス４の上方の透明度を保持することができるので、前記基板３の方も前記蓋体６の方も発光面とされることができる。
【００１５】
前記吸湿部材７としては、固状や液状、ゲル状などの、湿気を吸収できるものが使用されることができる。
【００１６】
また、本実施の形態において前記基板３及び前記蓋体６はいずれも透明なものであって発光面とすることができるが、本発明はこれに限定されない。必要に応じて前記基板３及び前記蓋体６中の一方が非透明材からなり、他方だけを発光面としてもよい。
【００１７】
前記非透明材として、プラスチックやセラミック、金属などが挙げられる。
【００１８】
（実施の形態２）
図３は、本発明の有機発光装置の実施の形態２を示す側断面図であり、図４は、図３のＶ−Ｖ線の断面図である。
【００１９】
この実施形態の前記実施の形態１と異なる点は、前記ダイオード・マトリックス４と前記吸湿部材７を収容した閉ループ状の凹溝６１との間に、更に他の方枠状のシール手段５が前記蓋体６と前記基板３との間に挟まれて前記ダイオード・マトリックス４を周りから囲んで密封していることにある。
【００２０】
それにより、二重のシール手段５，５を備えているので、湿気が前記ダイオード・マトリックス４内に侵入しないことをもっと確保することができる。
【００２１】
（実施の形態３）
図５は、本発明の有機発光装置の実施の形態３を示す側断面図であり、図６は、図５のVII−VII線の断面図である。
【００２２】
この実施形態の前記第２の実施形態と異なる点は、前記ダイオード・マトリックス４と前記他のシール手段５との間に、更に他の閉ループ状（方枠状）の凹溝６１が前記蓋体６に前記ダイオード・マトリックス４を周りから囲んでおり、該凹溝６１内にも吸湿部材７が収容されていることにある。
【００２３】
それにより、二重のシール手段５，５及び二重の吸湿部材７，７を備えているので、湿気が前記ダイオード・マトリックス４内に侵入しないことを完全に確保することができる。
【００２４】
（実施の形態４）
図７は、本発明の有機発光装置の実施の形態４を示す断面図である。
【００２５】
この実施形態の前記実施の形態１と異なる点は、前記ダイオード・マトリックス４と前記吸湿部材７を収容した閉ループ状の凹溝６１との間に、更に複数の支持手段８が前記蓋体６と前記基板３との間に挟まれて前記ダイオード・マトリックス４の周りに一連に配列されていることにある。
【００２６】
それにより、前記蓋体６を支持して前記有機発光装置全体の結構を強化することができる。
【産業上の利用可能性】
【００２７】
本発明の有機発光装置は、ダイオード・マトリックスに対し除湿機能を有する上、必要に応じて基板の方や蓋体の方で発光面とされることができる。
【００２８】
以上説明した実施の形態は、あくまでも本発明の技術的内容を明らかにする意図のものにおいてなされたものであり、本発明はそうした具体例に限定して狭義に解釈されるものではなく、本発明の精神とクレームに述べられた範囲で、いろいろと変更して実施できるものである。
【図面の簡単な説明】
【００２９】
【図１】本発明の有機発光装置の実施の形態１を示す側断面図
【図２】図１のIII−III線の断面図
【図３】本発明の有機発光装置の第２の実施形態を示す側断面図
【図４】図３のＶ−Ｖ線の断面図
【図５】本発明の有機発光装置の第３の実施形態を示す側断面図
【図６】図５のVII−VII線の断面図
【図７】本発明の有機発光装置の第４の実施形態を示す側断面図
【図８】従来の有機発光装置を示す側断面図
【符号の説明】
【００３０】
３    基板
４    ダイオード・マトリックス
５    シール手段
６    蓋体
７    吸湿部材
８    支持手段
４１  有機発光ダイオード
６１  凹溝
【図１】
2006019031.tif 000003
【図２】
2006019031.tif 000004
【図３】
2006019031.tif 000005
【図４】
2006019031.tif 000006
【図５】
2006019031.tif 000007
【図６】
2006019031.tif 000008
【図７】
2006019031.tif 000009
【図８】
2006019031.tif 000010